(57)【要約】      （修正有）【課題】題材となる工作物をモチーフとして形どり中空にしその下部に注ぎ口を設けて容器とし、その中にワインやシャンペンなどの飲料を封入し、室内等に装飾品として活用できるようにしたものである。【解決手段】チャペルや学校あるいは官舎など題材となる工作物をモチーフとして形どる頭部で作られる容器の下部にその注ぎ口を形成すると共に、該注ぎ口が収納できる凹部と容器の頭部を挿入できる載置台とを設けてあることを特徴とする室内装飾品を兼ねる容器。【選択図】図１
2005162319.tif 000002
【特許請求の範囲】
【発明の詳細な説明】
【技術分野】
【０００１】  本発明は、容器の機能と、装飾品・記念品の機能とを両立させることに関する発明である。
【背景技術】
【特許文献１】    特開  平６    −１２７５５０号公報
【特許文献２】    特開  ２００１−１０６２６２号公報
【特許文献３】    実開  平２    −１３５２９６号公報
【０００２】  特許文献１の技術は、可撓性を有する資材からなり内部に封入剤を収容する容器本体と、この容器本体の一端開口部に嵌着されるノズルとからなり、このノズルは断面略円錐状を有し、その頂点部に滴出口を有することを特徴とする封入剤容器であり、前記ノズルの少なくとも滴出口が形成される部位を軟質材で形成し、容器本体の加圧時に滴出口が開口されるようにしてあり、前記ノズルが可及的密に嵌合して容器本体を倒立状態に支持するノズル嵌合穴を有し、この嵌合穴の内底部に溶剤を満たすための空所を有する台座を備えることを特徴とする封入剤容器であり、前記台座のノズル嵌合穴内にノズル嵌合時にその滴出口を封止する蓋部材を内設した封入剤容器である。
また、特許文献２の技術は、柔軟性のある胴部の一端に口部を有する内容器と、一端に前記口部を気密に嵌挿できる孔部を有するとともに他端に開放部を有する押圧変形自在でかつ保形性を備え前記内容器の胴部略全体を覆う筒状本体および前記開放部に着脱自在な嵌着部を介して嵌着される蓋体からなる外容器と、前記内容器の前記口部に螺着される円筒部および前記円筒部に連設された注出口部を有する栓体とを備えており、前記口部が前記筒状本体の前記孔部から外方へ突出するように前記内容器を前記外容器内に装着し、前記口部に前記栓体の前記円筒部を螺着することによって前記円筒部の開放側端面を前記孔部の開口周縁部に当接させて密封するとともに、前記蓋体には逆止弁を有する連通孔を設けて外気を吸引できるように構成したことを特徴とする押出し容器であり、口部が、先細りテーパー状の筒状首部を介して柔軟性のある胴部の一端に連接されていることを特徴とする押出容器であり、着脱自在な嵌着部は、蓋体の外周面に形成された嵌合溝部と、筒状本体の開放部の近傍に形成された前記嵌合溝部に嵌合する嵌合突条とからなることを特徴とし、栓体の注出口部は、その外径が先端へ向かって段階的に縮小された先細りテーパー状にしてあることを特徴とし、栓体の注出口部の開口を閉鎖するためのキャップを備えたことを特徴とする押出し容器である。
さらに、特許文献３の技術は、フエルトペン式糊容器のキャップを取り外して塗布部を露出したまま一時的に立てて置くためのスタンドであって、キャップの縁と係合のため容器本体に設けたショルダーから塗布部先端までの部分を収容し得る深さと直径の円筒形くぼみを備え、該くぼみの開口の外周に前記容器本体のショルダーと係合し容器本体を倒立姿勢で支持する環状平坦区域を設け、前記環状平坦区域を含む前記くぼみの表面の少なくとも一部分をシリコンゴムでライニングしてなるフエルトペン式糊容器のためのスタンドである。
【発明の開示】
【発明が解決しようとする課題】
【０００３】  容器は、容器としての実用性から一般に瓶形、壷形、箱形等類型化された形状をしており、内容物である液体、粉体、粒体等の保護のために、栓、王冠、キャップ、蓋、および、注ぎ口、取出し口、並びに、それらを支える首、肩、等（以下「口部」という。）が容器の上部に設けられている形状であるのが通常である。
したがって、記念物をミニチュア化した記念品を容器とする等装飾性の高い形状のものを欲した場合、容器そのもの又はその内容物が記念物等特殊なもの以外は上部に置かれる口部を目立たないようにする工夫が必要であった。【０００４】  本発明は、題材となる工作物をモチーフとして形どり中空にしその下部に注ぎ口を設けて容器とし、その中にワインやシャンペンなどの飲料を封入し、室内等に装飾品として活用できるようにしたものである。【０００５】  しかし、特許文献１は、容器を倒立させ、併せて台座を備えてはいるが、容器内の封入剤の使用の便及び固化防止等を考えたものであって、当該容器そのものと台座を一体として装飾品とする目的のものではない。
また、特許文献２は、容器そのものを改良するほか、容器を倒立させ倒立具なるものに載置して保管できる工夫がなされたものであるが、要は、内容器へのエアーバック阻止を目的としたものであって、容器と倒立具を一体として装飾品とする目的のものではない。
さらに、特許文献３は、容器本体を倒立姿勢で、糊の使用中における単なる一時的に容器を支持するスタンドの発明であって、目的が装飾品を兼ねるものではない。
【課題を解決するための手段】
【０００６】  本発明は、上記課題を解決するために、チャペルや学校あるいは官舎など題材となる工作物をモチーフとして形どる頭部で作られる容器の下部にその注ぎ口を形成すると共に、該注ぎ口が収納できる凹部と容器の頭部を挿入できる載置台とを設けてあることを特徴とする室内装飾品を兼ねる容器。
【発明の効果】
【０００７】  本発明は、上記技術で構成されているので、以下に示す効果が期待できる。
１．題材となる工作物をモチーフとして容器が作られているため、室内装飾品をも兼ねられる。
２．載置台が注ぎ口を収納するとともに、同じ載置台が容器を開封したときの置台をも兼ねられる。
３．一般的に記念日、記念の由来等題材に関する説明書は、芸術的観賞性を低下させることがあるが、載置台の各面には、必要事項をさりげなく記載することができる。一方、著名人のサイン等の記入によって記念品の価値を高めるようなこともできる。
４．容器の注ぎ口が下に向いているため、アルコールの性質が保たれる。
【発明を実施するための最良の形態】
【０００８】  本発明の実施の形態を、図面を用いて説明する。【０００９】  図１乃至図２はＤホテルのチャペルをモチーフとした模式斜視図であるが、チャペルの正面上部の凹凸を形成する屋根を頭部（１ａ）とし、次いで中間部（１ｂ）の下部に容器の注ぎ口（１ｃ）を形成し、その下に、当該注ぎ口を収納する凹部即ち注ぎ口収納部（２ａ）及び頭部挿入部（２ｂ）を備えた載置台（２）が形成してある。
図１は上方の容器本体（１）を下方の載置台（２）の上に載置させ、容器の注ぎ口（１ｃ）が載置台の注ぎ口収納部（２ａ）と嵌合した状態であって、上下一体とした置物（装飾品）として鑑賞する場合の通常の形を示す。
図２は、容器本体と載置台とを上下に分離した状態を示す。【００１０】  なお、容器本体（１）の材料は、容器に収容する内容物が滲出或いは変質しないものであるなら、ガラス、陶磁器、プラスチック等何でもよく、要は内容物に適したものを選定する。
また、載置台については内容物と直接接触することはないので、容器本体と同じものでも異なる材料でも良いが、注ぎ口収納部及び頭部挿入部を必要とすることに留意して、容器本体及びその内容物の重量に耐え得る強度を保てる材料であって、容器本体と一体とした場合にマッチするものを選定することが好ましい。【００１１】  図３乃至図４は、容器開封時の使用形態を示す。
図３は、容器本体（１）と載置台（２）と分離した図２の状態から、注ぎ口（１ｃ）を上に頭部（１ａ）を下にした開封時の状態を示す。
図４は、図３の状態から容器本体（１）を下ろして、容器本体の頭部（１ａ）と載置台の頭部挿入部（２ｂ）とがドッキングし、食卓等に置かれて安定している状態である。
図３、図４いずれの場合でも、載置台（２）は、図２の状態から９０度手前に回転した状態（以下この状態の載置台を単に置台と呼ぶ。）にあって、注ぎ口収納部（２ａ）の曲面の凹部と、頭部挿入部（２ｂ）のＶ字型の凹部が同一置台上面（２ｅ）に形成されていることがわかる。
そして、図２で載置台正面とした２ｃ面は図３、図４の置台では食卓等との所謂接地面となり、図２で載置台上面とした２ｄ面が置台の場合正面に、同様に、装飾品としての接地面（２ｆ）が容器開封時には置台背面となり、装飾品のときの背面（２ｅ）が容器開封時には上面となる。
【実施例】
【００１２】なお、図５は、Ｄホテルのチャペルをモチーフとしたガラス製置物を、新郎新婦の年齢と同じ年代の古酒をブレンドした酒器とし、むくの桐材を載置台としたＤホテルでの結婚披露宴の引出物用に作製したものである。
容器にチャペル入り口の、載置台に石段のラベルを貼って、容器本体（１）と載置台（２）とが一体としてチャペルの雰囲気を醸し出す。
【産業上の利用可能性】
【００１３】  本発明は、観光地の土産物等幅広く応用可能であり、アイデア次第である。
本発明は、内容物をアルコール類の飲み物を中心に論じてきたが、容器の材料を吟味し、注ぎ口の形状を変えれば、粒状、粉状、錠剤等あらゆるものが例えばコーヒー、砂糖などが収納の対象となる。
例えば、チャペル、学校、官舎など建造物に限らず、船舶、飛行機など乗り物、宇宙衛星、文化財等を、ミニチュア化し、中空にし、アルコール類等飲み物のほか、コーヒー豆、嗅ぎ煙草等嗜好品、化粧料、香料、常備薬等日常品、それぞれに適した封のできる容器であれば、当該容器の封をした口部を下にして、その部分を目隠しするように調製した載置台と、一体として鑑賞に堪えるものが作れるはずである。さらに、例えば、千石船の積み荷である俵の山を容器とし、載置台を千石船の形に細工する等、載置台は、載置台の向きを変えることもなく、容器本体と一体として鑑賞に堪えるよう加工、彩色等細工を施すことができる。また、船を載置台とし、七福神を乗せ、その中の大黒と恵比寿の足の部分に振出し口付きの蓋等を設ければ、塩・こしょう等の容器とするようなこともできる。
要するに、容器の口部を載置台で隠すことができて、そのうえ、容器本体と載置台とが外見上マッチすればどんな形のものでもよいのであり、インテリアに限ることなく、エクステリアにも応用できる。
【図面の簡単な説明】
【００１４】
【図１】チャペル型置物の斜視図である。
【図２】容器本体と載置台と分離した図である。
【図３】容器開封時の使用形態を示す図である。
【図４】容器開封時の使用形態の一つ、食卓等に置いた場合を示す図である。
【図５】チャペル型置物の実施例の図である。
【符号の説明】
【００１５】１    容器本体
１ａ  頭部
１ｂ  中間部
１ｃ  注ぎ口
２    載置台（置台）
２ａ  注ぎ口収納部
２ｂ  頭部挿入部
２ｃ  載置台正面（置台接地面）
２ｄ  載置台上面（置台正面）
２ｅ  載置台背面（置台上面）
２ｆ  載置台接地面（置台背面）
【図１】
2005162319.tif 000003
【図２】
2005162319.tif 000004
【図３】
2005162319.tif 000005
【図４】
2005162319.tif 000006
【図５】
2005162319.tif 000007
【手続補正書】
【提出日】平成16年3月9日(2004.3.9)
【手続補正１】
【補正対象書類名】特許請求の範囲
【補正対象項目名】全文
【補正方法】変更
【補正の内容】
【特許請求の範囲】
【請求項１】
チャペルや学校あるいは官舎などをモチーフとして形どる頭部で作られる容器の下部にその注ぎ口を形成すると共に、該注ぎ口が収納できる凹部と容器の頭部を挿入できる載置台とを設けてあることを特徴とする室内装飾品を兼ねる容器。